(57)【要約】【課題】薄型パネル状の電気機器の狭小な側面において、電気機器に駆動電源を給電する電源線と電気機器へ電気信号を出力する信号線を接続可能な複合ケーブルを提供する。【解決手段】可撓性の複合ケーブルの電気機器に接続する端末接続部をフレキシブルプリント配線基板で構成し、電気機器の狭小な側面において複合ケーブルを接続可能とする。フレキシブルプリント配線基板の横幅は充分に長くとることができるので、電源パターンのバターン幅を太幅として薄肉であっても単位長さあたりの抵抗値を低下させて、高い電源電流を許容する許容電流とすることができる。【選択図】図１
2018170398.tif 000002
【特許請求の範囲】
【請求項１】
薄型パネル状の電気機器に接続し、前記電気機器の駆動電源を給電する電源線と、前記電気機器へ電気信号を出力する信号線を複合化した複合ケーブルであって、
可撓性の複合ケーブルの前記電気機器に接続する端末接続部を、前記電気機器の側面から挿入して前記電気機器に接続するフレキシブルプリント配線基板で構成し、
前記フレキシブルプリント配線基板に、前記信号線となる信号パターンと前記電源線となる電源パターンを平列に形成し、前記電源パターンのパターン幅を前記電源線の許容電流に合わせて前記信号パターンより太幅としたことを特徴とする複合ケーブル。
【請求項２】
前記電気機器は、異なる電力で動作する複数の回路素子を有し、
前記フレキシブルプリント配線基板の一面に、前記複数の回路素子にそれぞれ駆動電源を給電する複数の電源パターンを平列に形成し、
前記回路素子の消費電流に応じて、その回路素子に接続する電源パターンのパターン幅を異ならせたことを特徴とする請求項１に記載の複合ケーブル。
【請求項３】
前記電源線と前記信号線に更にアクティブオプティカルケーブルを複合化した複合ケーブルであって、
前記電源線となる電源パターンと、前記電気機器へ低速電気信号を出力する信号パターンを形成したフレキシブルプリント配線基板に、前記電気機器へ高速電気信号を出力する前記アクティブオプティカルケーブルの光導波路を形成したことを特徴とする請求項１又は請求項２のいずれか１項に記載の複合ケーブル。
【請求項４】
前記電気機器は、平面ディスプレー装置であり、
前記信号パターンを介して前記平面ディスプレー装置の動作を制御する制御信号を出力し、前記光導波路を介して前記平面ディスプレー装置に表示する映像の大容量映像信号を出力することを特徴とする請求項３に記載の複合ケーブル。
【発明の詳細な説明】
【技術分野】
【０００１】
本発明は、薄型パネル状の電気機器に接続する複合ケーブルに関し、更に詳しくは、薄型パネル状の電気機器に電源を給電するとともに電気信号を出力する複合ケーブルに関する。
【背景技術】
【０００２】
薄型パネル状の電気機器として、例えば、壁面に沿って配置する壁掛けテレビ１１０のディスプレー装置１０１は、ディスプレー装置１０１が壁面から大きく突出しないように、図６、図７に示すように、ディスプレー装置１０１に表示する映像信号を処理する通信制御部１０２ｂやディスプレー装置１０１の電源部１０２ａを有する付加装置１０２を、壁パネルＷＰを貫通する埋込みボックスＳＢ内に配置し、付加装置１０２からディスプレー装置１０１の背面側に接続する電源線１０３を介してディスプレー装置１０１に駆動電源を給電するとともに、信号線１０４を介してディスプレー装置１０１に映像信号等の電気信号を出力している（特許文献１）。
【０００３】
しかしながら、このように壁面に取付けられる壁掛けテレビ１１０は、壁パネルＷＰ内の埋込みボックスＳＢへ付加装置１０２を収容するために壁パネルＷＰに孔を穿つ必要があり、壁パネルＷＰの加工が必要で、また、孔を穿った位置に取付位置が限られることになるので、壁掛けテレビ１０を所望の位置へ移動させることができかった。そこで、従来、ディスプレー装置とディスプレー装置に映像信号や制御信号を出力するセットトップボックスＳＴＢとを分離し、両者を接続ケーブルや特許文献２に記載のように無線通信で接続し、薄型パネル状の電気機器であるディスプレー装置を薄型化し、かつ、任意の位置に配置自在としている。
【先行技術文献】
【特許文献】
【０００４】
【特許文献１】特許第５１８０８５６号公報
【特許文献２】特開２０１１−１９１００号公報
【発明の概要】
【発明が解決しようとする課題】
【０００５】
特許文献２に記載のディスプレー装置のようにセットトップボックスＳＴＢと無線通信で接続する場合には、ディスプレー装置に無線送受信回路を設ける必要があり、ディスプレー装置の構造が複雑になるとともに、薄型化の障害となる。
【０００６】
また、セットトップボックスＳＴＢとディスプレー装置とを無線通信で接続するか、接続ケーブルで接続するかにかかわらず、少なくともディスプレー装置の駆動電源を給電するための電源ケーブルをディスプレー装置へ接続する必要がある。ところで壁掛けテレビなどの用途で備えられるディスプレー装置は、近年、有機ＥＬの表示素子を用いて厚さ３ｍｍ以下にまで薄型化し、壁面から突出する厚さを、ディスプレー装置に接続するケーブル類を含めて３ｍｍ以下とすることが要望され、このような場合には、ディスプレーに接続する電源ケーブルを、厚さが３ｍｍ以下のディスプレー装置の側面に設けられたコネクタなどの接続部へ接続することとなる。一方で、ディスプレー装置は、薄型化とともに大形化する傾向にあり、大画面の有機ＥＬ、液晶などの表示層を駆動させるために電源線には１０Ａ乃至２０Ａ程度の大電流が流れる。その為、電源線の許容電流をこれらの電流値以上とする必要があり、電源ケーブルの電源線を例えば丸ケーブルのメタル電線で構成すると絶縁被覆を含めた電源線全体の直径が３ｍｍ程度の太い電線となるので、ディスプレー装置の側面における接続が困難となる。
【０００７】
更に、この電源ケーブルの他に、ディスプレー装置へ大容量の映像信号を出力する高速信号線を有する接続ケーブルやディスプレー装置の動作を制御する制御信号を出力する低速信号線を有する接続ケーブル接続する場合には、３ｍｍ以下に薄型化したディスプレー装置の狭小な側面にこれらの全ての接続ケーブルを接続することとなり、接続作業が極めて煩雑なものとなる。
【０００８】
信号線として作用する信号パターンが一面に形成されたフレキシブルプリント配線基板を接続ケーブルとして用いれば、厚さが３ｍｍ以下の狭小なディスプレー装置の側面においても接続が可能となるが、フレキシブルプリント配線基板は、その幅方向で剛性を有し屈曲しにくいので、セットトップボックスＳＴＢとディスプレー装置間を接続する配線の自由度が損なわれ、また、キャブタイヤケーブル等の丸ケーブルに比べてフレキシブルプリント配線基板の単位長さ当たりの価格が高価であるので、実用に適さないものであった。
【０００９】
更に、フレキシブルプリント配線基板の一面に形成する導電パターンの許容電流は、その導電パターンの横断面積に応じて増加するが、導電パターンの厚みは３５μｍ程度であるので、１０Ａ乃至２０Ａの電源電流以上の許容電流とするのは困難と考えられ、ディスプレー装置に駆動電源を給電する電源ケーブルとして、電源パターンが形成されたフレキシブルプリント配線基板を用いることはなかった。
【００１０】
本発明は、このような従来の問題点を考慮してなされたものであり、薄型パネル状の電気機器に信号処理回路や電源回路を設けずに、電気機器を更に薄型可能とする複合ケーブルを提供することを目的とする。
【００１１】
また、薄型パネル状の電気機器の狭小な側面において、電気機器に駆動電源を給電する電源線と電気機器へ電気信号を出力する信号線を接続可能な複合ケーブルを提供することを目的とする。
【００１２】
また、薄型パネル状のディスプレー装置と、ディスプレー装置に映像信号や駆動電源を給電するセットトップボックスＳＴＢとの間を、安価で、配線の自由度があるケーブルで接続する複合ケーブルを提供することを目的とする。
【課題を解決するための手段】
【００１３】
上述の目的を達成するため、請求項１に記載の複合ケーブルは、薄型パネル状の電気機器に接続し、電気機器の駆動電源を給電する電源線と、電気機器へ電気信号を出力する信号線を複合化した複合ケーブルであって、可撓性の複合ケーブルの電気機器に接続する端末接続部を、電気機器の側面から挿入して電気機器に接続するフレキシブルプリント配線基板で構成し、フレキシブルプリント配線基板に、信号線となる信号パターンと電源線となる電源パターンを平列に形成し、電源パターンのパターン幅を電源線の許容電流に合わせて信号パターンより太幅としたことを特徴とする。
【００１４】
複合ケーブルの電気機器に接続する端末接続部をフレキシブルプリント配線基板で構成するので、薄型パネル状の電気機器の狭小な側面からフレキシブルプリント配線基板を挿入して電源線と信号線を電気機器へ接続できる。
【００１５】
フレキシブルプリント配線基板の幅は、電気機器の側面の長手方向幅を限度として十分な長さとすることができるので、電源パターンのパターン幅を太幅として横断面積を拡大し、電源線となる電源パターンの許容電流を大電流とすることができる。
【００１６】
複合ケーブルの電気機器に接続する端末接続部のみをフレキシブルプリント配線基板で構成するので、複合ケーブルの屈曲方向が制約されない。
【００１７】
請求項２に記載の複合ケーブルは、電気機器が異なる電力で動作する複数の回路素子を有し、フレキシブルプリント配線基板の一面に、複数の回路素子にそれぞれ駆動電源を給電する複数の電源パターンを平列に形成し、回路素子の消費電流に応じて、その回路素子に接続する電源パターンのパターン幅を異ならせたことを特徴とする。
【００１８】
電気機器の異なる電力で動作する複数の回路素子毎に、その回路素子にそれぞれ駆動電源を給電する複数の電源パターンが形成されるので、電気機器内に入力電圧を分圧して各回路素子に安定した電源電圧を給電する定電圧電源回路を設ける必要がない。
【００１９】
請求項３に記載の複合ケーブルは、電源線と信号線に更にアクティブオプティカルケーブルを複合化した複合ケーブルであって、電源線となる電源パターンと、電気機器へ低速電気信号を出力する信号パターンを形成したフレキシブルプリント配線基板に、電気機器へ高速電気信号を出力するアクティブオプティカルケーブルの光導波路を形成したことを特徴とする。
【００２０】
電源線となる電源パターンと、電気機器へ低速電気信号を出力する信号パターンを形成したフレキシブルプリント配線基板に、電気機器へ高速電気信号を出力するアクティブオプティカルケーブルの光導波路を形成するので、薄型パネル状の電気機器の狭小な側面からフレキシブルプリント配線基板を挿入して電源線と低速電気信号を出力する信号線と高速電気信号を出力するアクティブオプティカルケーブルを電気機器へ接続できる。
【００２１】
請求項４に記載の複合ケーブルは、電気機器が平面ディスプレー装置であり、信号パターンを介して平面ディスプレー装置の動作を制御する制御信号を出力し、光導波路を介して平面ディスプレー装置に表示する映像の大容量映像信号を出力することを特徴とする。
【００２２】
平面ディスプレー装置の側面から、平面ディスプレー装置に駆動電源を給電する電源線と、制御信号を出力する信号線と、大容量映像信号を出力する光導波路を一括接続するので、複合ケーブルを接続した平面ディスプレー装置全体の厚さを薄型化できる。
【発明の効果】
【００２３】
請求項１の発明によれば、薄型パネル状の電気機器の狭小な側面からフレキシブルプリント配線基板を挿入して電源線と信号線を電気機器へ接続するので、複合ケーブルを接続した電気機器全体の厚さが増加しない。
【００２４】
薄型パネル状の電気機器の狭小な側面において、電気機器の駆動電源を給電する電源線と、電気機器へ電気信号を出力する信号線を一括して容易に接続できる。
【００２５】
大電流を許容電流とする電源線であっても、フレキシブルプリント配線基板に形成する薄肉の電源パターンで形成できる。
【００２６】
薄型パネル状の電気機器に接続する複合ケーブルを、安価で、屈曲方向が制約されずに自由な方向に配線可能な複合ケーブルとすることができる。
【００２７】
請求項２の発明によれば、オペアンプ、３端子レギュレータ等の外形に一定の厚みのあるＩＣ回路素子から構成される定電圧電源回路を電気機器内に設ける必要がないので、電気機器をより薄型化できる。
【００２８】
請求項３の発明によれば、薄型パネル状の電気機器の狭小な側面において、電気機器の駆動電源を給電する電源線と、電気機器へ低速電気信号を出力する信号線と高速電気信号を出力するアクティブオプティカルケーブルを一括して容易に接続できる。
【００２９】
また、電源線と低速電気信号を出力する信号線とアクティブオプティカルケーブルの光導波路をフレキシブルプリント配線基板に一纏めとするので、デザインに優れ、ユーザーが個々の配線を分離して誤接続する恐れがない。
【００３０】
請求項４の発明によれば、平面ディスプレー装置に大容量映像信号を処理する信号処理回路を設けることなく、駆動電源を給電する電源線を狭小な側面から接続できるので、複合ケーブルを接続した全体を薄型化でき、壁面とほぼ同一面上に取付けることができる。
【図面の簡単な説明】
【００３１】
【図１】平面ディスプレー装置４０とセットトップボックスＳＴＢを接続する本願発明の一実施の形態に係る複合ケーブル１を示す平面図である。
【図２】図１のＡ−Ａ線で切断した一部省略断面図である。
【図３】アクティブオプティカルケーブル５の平面ディスプレー装置４０との接続部を示す拡大断面図である。
【図４】フレキシブルプリント配線基板１０と平面ディスプレー装置４０との接続部を示す拡大断面図である。
【図５】図１のブロック図である。
【図６】ディスプレー装置１０１と付加装置１０２とを接続する従来の電源線１０３を示す縦断面図である。
【図７】壁掛けテレビ１１０のブロック図である。である。
【発明を実施するための形態】
【００３２】
本発明の一実施の形態に係る複合ケーブル１を図１乃至図５を用いて説明する。複合ケーブル１は、図１に示すように、薄型パネル状の電気機器である平面ディスプレー装置４０とセットトップボックスＳＴＢとの間に配線され、複数の電源線２と、複数の信号線３と、複数のアクティブオプティカルケーブル５とを一纏めに複合化した複合ケーブルである。
【００３３】
本実施の形態において平面ディスプレー装置４０は、壁面に沿って取付けられるいわゆる壁掛けテレビのモニターであり、壁面からの突出量が最小となるように表示素子として有機ＥＬを用い、その厚さを３ｍｍ以下としている。３ｍｍ以下に薄型化するため、平面ディスプレー装置４０には、平面ディスプレー装置４０に表示される映像を受信するチューナーや映像信号の信号処理回路、平面ディスプレー装置４０を駆動する電源回路などを設けずに可能な限り薄型化が図られ、壁面に取付けられる平面ディスプレー装置４０との間に接続される複合ケーブル１を介して平面ディスプレー装置４０から数メートル離れた場所に設置されるセットトップボックスＳＴＢにチューナー等のこれらの回路を内蔵し、セットトップボックスＳＴＢから複合ケーブル１の６本の信号線３を介して平面ディスプレー装置４０の動作を制御する比較的低速な制御信号を出力し、また、４本のアクティブオプティカルケーブル５を介して大容量高速伝送が必要な映像信号を出力している。
【００３４】
更に、平面ディスプレー装置４０のディスプレー表示部は、２４Ｖ／２４０Ｗの駆動電源で動作し、ディスプレー表示部や暗号化回路ＨＤＣＰを制御する制御回路等は、１２Ｖ／４０Ｗの駆動電源で動作するので、平面ディスプレー装置４０に異なる２系統の電源系統が存在している。ここで、平面ディスプレー装置４０において１種類の入力電源電圧を分圧して安定化した２系統の電源系統から給電するには、オペアンプ、３端子レギュレータなどの外形に一定の厚みのあるＩＣ回路素子からなる定電圧電源回路を設ける必要があるが、本実施の形態では、これらの定電圧電源回路もセットトップボックスＳＴＢ側に内蔵し、平面ディスプレー装置４０の電源系統数（ここでは２系統）と同数の２対の第１電源線２ａ及び第２電源線２ｂを介して、セットトップボックスＳＴＢから異なる駆動源の電源を平面ディスプレー装置４０の各回路へ給電している。
【００３５】
複合ケーブル１は、平面ディスプレー装置４０側に接続する長さ２００ｍｍ程度のフレキシブルプリント配線基板（以下、ＦＰＣという）１０と、セットトップボックスＳＴＢ側に接続する数メートルのキャブタイヤケーブル２０を直列に接続して構成され、キャブタイヤケーブル２０は、上述した２対の電源線２と６本の信号線３とアクティブオプティカルケーブル５の光導波路である４本の光ファイバー１５とを、一纏めにしてシースで被覆した丸ケーブルで形成される。キャブタイヤケーブル２０とＦＰＣ１０との接続部では、キャブタイヤケーブル２０からＦＰＣ１０にかけてアクティブオプティカルケーブル５の光ファイバー１５が連続して配線され、また、キャブタイヤケーブル２０の２対の電源線２ａ、２ｂと複数の信号線３は、対応するＦＰＣ１０に形成された後述する２対の電源パターン１２ａ、１２ｂと６本の信号パターン１３にそれぞれ半田接続され、相互に電気接続している。
【００３６】
電源線２には、平面ディスプレー装置４０の駆動電源として最大１０Ａ程度の比較的大きい電流が流れるので、許容電流を１０Ａ以上とするために、キャブタイヤケーブル２０の電源線２は、導体の直径が２乃至３ｍｍの太い電線となる。一方、光ファイバー１５は光ファイバー１５のシースを含めた全体であっても２５０μｍ程度の太さであるが、電源線２や信号線３と併せて複合化したキャブタイヤケーブル２０の外径は、１０ｍｍの太さとなる。
【００３７】
外径が約１０ｍｍの太さとなるキャブタイヤケーブル２０であっても、セットトップボックスＳＴＢ側に接続位置や接続部の大きさの制約がないので、キャブタイヤケーブル２０の端末に、電源線２と信号線３と光ファイバー１５の端末が臨む光電複合プラグ３０が取付けられ、セットトップボックスＳＴＢのプリント配線基板３１に実装されるレセプタクル３２へ光電複合プラグ３０を嵌合接続することにより、複数の電源線２と複数の信号線３がセットトップボックスＳＴＢの対応する回路へ電気接続する。
【００３８】
また、レセプタクル３２内には、図５に示すように、レーザードライバー３３で駆動制御される面発光レーザＶｃｓｅｌが内蔵され、面発光レーザＶｃｓｅｌは、レーザードライバー３３に入力される信号をＥ−Ｏ変換して、光電複合プラグ３０に臨む光ファイバー１５へ出射する。図５に示すように、セットトップボックスＳＴＢの４レーンの高速信号パターン３１ａに入力される信号は、ここではＶ−ｂｙ−Ｏｎｅ（ザインエクトロニクス株式会社の登録商標）ＨＳのシリアルインタフェースで、１レーンあたり３．７５Ｇｂｐｓの伝送速度で伝送される映像信号であり、面発光レーザＶｃｓｅｌは、４レーンに個々に対応する４本の光ファイバー１５へ映像信号をＥ−Ｏ変換した光信号を送出する。
【００３９】
また、セットトップボックスＳＴＢの６本の低速信号パターン３１ｂに入力される信号は、例えば平面ディスプレー装置４０の暗号化回路ＨＤＣＰや有機ＥＬの表示素子の動作を制御する数十Ｍｂｐｓの伝送速度の制御信号であり、各低速信号パターン３１ｂに接続する６本の信号線３を介して平面ディスプレー装置４０に出力される。
【００４０】
更に、セットトップボックスＳＴＢのプリント配線基板３１には、平面ディスプレー装置４０の２系統の電源系統に対応して、例えば２４Ｖ／２４０Ｗの駆動電源を複合ケーブル１の第１電源線２ａを介して平面ディスプレー装置４０のディスプレー表示部へ給電する第１給電パターン３１ｃ１と、例えば１２Ｖ／４０Ｗの駆動電源を複合ケーブル１の第２電源線２ｂを介して平面ディスプレー装置４０の制御回路等へ給電する第２給電パターン３１ｃ２が形成されている。従って、平面ディスプレー装置４０には、複数の異なる電源系統から安定した電源を給電する為の定電圧電源回路を設ける必要がなく、平面ディスプレー装置４０を厚さ３ｍｍ程度まで薄型化できる。
【００４１】
複合ケーブル１を接続する平面ディスプレー装置４０側には、複合ケーブル１との接続に壁面からの突出量を増加させず、厚さ３ｍｍの平面ディスプレー装置４０の側面において複合ケーブル１を接続するとの制約があり、外径が１０ｍｍのキャブタイヤケーブル２０をそのまま接続することができないので、薄型で平面ディスプレー装置４０の側面の３ｍｍの短手方向幅内に接続可能で、横幅を側面の長手方向に沿って充分に長い長さとすることが可能なＦＰＣ１０を用いて接続する。
【００４２】
複合ケーブル１の平面ディスプレー装置４０側の端末接続部１ａとなるＦＰＣ１０は、厚さ０．１ｍｍのポリイミドなどで形成される絶縁基材フィルム１０ａの一面に、２対の電源線２ａ、２ｂとなる２対の電源パターン１２ａ、１２ｂと、６本の信号線３となる６本の信号パターン１３がその長手方向に沿って平行にパターン印刷されている。また、ＦＰＣ１０の上記電源パターン１２や信号パターン１３と干渉しない絶縁基材フィルム１０ａ上の余白部分には、４本の光ファイバー１５がこれらのパターン１２、１３と平行にラミネート加工され、光電気複合ＦＰＣ１０となっている。
【００４３】
ここで第１電源線２ａとなる第１電源パターン１２ａは、平面ディスプレー装置４０のディスプレー表示部へ２４Ｖ／２４０Ｗの電源を給電するので、許容電流が１０Ａ以上となる電源パターンとする必要がある。絶縁基材フィルム１０ａ上に形成される電源パターン１２の厚さは僅か３５μｍ程度であるが、電源パターン１２の単位長さ当たりの抵抗値はその横断面積に反比例し、ＦＰＣ１０の横幅は充分に幅広とすることが可能であるので、図２に示すように、信号パターン１３等の通常の印刷パターンに比べて第１電源パターン１２ａのパターン幅を１０ｍｍ以上の太幅として、単位長さ当たりの抵抗値を低下させ、許容電流値を１０Ａ以上としている。
【００４４】
また、第２電源線２ｂとなる第２電源パターン１２ｂについても、平面ディスプレー装置４０のディスプレー表示部や暗号化回路ＨＤＣＰを制御する制御回路等へ１２Ｖ／４０Ｗの電源を給電するので、許容電流を３．４Ａ以上となる電源パターンとする必要があり、信号パターン１３等のパターン幅に比べて第２電源パターン１２ｂのパターン幅を４ｍｍと太幅にしている。
【００４５】
第１電源パターン１２ａと第２電源パターン１２ｂと６本の信号パターン１３は、ＦＰＣ１０の平面ディスプレー装置４０側に突出するテール部１０ｂまで引き出され、図４に示すように、平面ディスプレー装置４０のプリント配線基板４１上に実装されたＦＰＣコネクタ４２の接続凹部へテール部１０ｂとともに挿入され、ＦＰＣコネクタ４２の図示しないコンタクトを介して、プリント配線基板４１上の対応する導電パターンに電気接続される。これにより、第１電源パターン１２ａから平面ディスプレー装置４０のディスプレー表示部へ２４Ｖ／２４０Ｗの電源が給電され、第２電源パターン１２ｂから平面ディスプレー装置４０のディスプレー表示部や暗号化回路ＨＤＣＰを制御する制御回路等に１２Ｖ／４０Ｗの電源を給電され、また、６本の信号パターン１３から平面ディスプレー装置４０の各回路素子を制御する比較的低速な伝送速度の制御信号が出力される。ここで、プリント配線基板４１の厚さは０．５ｍｍ、ＦＰＣコネクタ４２の厚さは１．２ｍｍであるので、厚さ３ｍｍの平面ディスプレー装置４０の側面において、複合ケーブル１のＦＰＣ１０を接続できる。
【００４６】
また、ＦＰＣ１０に固定された４本の光ファイバー１５の端部には、各光ファイバー１５の端面を平面ディスプレー装置４０側に臨ませて各光ファイバー１５を位置決め固定した光プラグ４４が取付けられている。光プラグ４４は、平面ディスプレー装置４０のプリント配線基板４１上でＦＰＣコネクタ４２の側方に実装されたレセプタクル４３に嵌合接続してする。光プラグ４４を嵌合接続したレセプタクル４３の高さは、厚さは０．５ｍｍのプリント配線基板４１を加えても最大１．７ｍｍであり、幅３ｍｍの平面ディスプレー装置４０の側面において光プラグ４４を接続できる。
【００４７】
レセプタクル４３には、図３に示すように、４本の光ファイバー１５の各端面に対向する部位に配置され、図中各光ファイバー１５の水平方向の光軸を鉛直方向に変換する４５度ミラー４５と、プリント配線基板４１の高速信号パターン４１ａ上に金バンプ４６を介して搭載され、受光面を４５度ミラー４５上に臨ませたフォトダイオード４７が内蔵されている。フォトダイオード４７は、４本の光ファイバー１５の各端面から３．７５Ｇｂｐｓの伝送速度で出射される映像信号を表す光信号をそれぞれ光電変換し、対応する４本の導電パターン４１ａを介してその出力側に接続されたトランスインピーダンスアンプＴＩＡへ出力する。
【００４８】
トランスインピーダンスアンプＴＩＡは、フォトダイオード４７から出力される映像信号を表す微弱な電流信号を電圧信号に変換して、４本の光ファイバー１５に個々に対応する４レーンの高速信号パターン４１ａを介して平面ディスプレー装置４０のディスプレー表示部の表示を制御する有機ＥＬドライバーへ出力する。これにより、セットトップボックスＳＴＢから１レーンあたり３．７５Ｇｂｐｓの伝送速度で伝送される映像信号による映像がディスプレー表示部に表示表示される。
【００４９】
本実施の形態によれば、セットトップボックスＳＴＢと薄型パネル状の電気機器である平面ディスプレー装置４０とを接続する複合ケーブル１の主要部が各方向に自由に屈曲するキャブタイヤケーブル２０で構成されるので、複合ケーブル１の配線位置が制約されず、また、ＦＰＣ１０に比べて安価なキャブタイヤケーブル２０を主要部分に用いるので、安価に複合ケーブル１が得られる。
【００５０】
上述の実施の形態では、薄型パネル状の電気機器として、厚さが３ｍｍの平面ディスプレー装置で説明したが、薄型パネル状であれば、ディスプレー装置に限らない。
【００５１】
また、複合ケーブル１は、電源線２と信号線３にアクティブオプティカルケーブル５を複合化したケーブルの例で説明したが、電源線２と信号線３のみを複合化した複合ケーブルであってもよい。更に、光ファイバー１５の両端にＯ−Ｅ変換素子とＥ−Ｏ変換素子が接続されたアクティブオプティカルケーブル５を複合化しているが、電源線２と信号線３に光導波路としての光ファイバー１５のみを複合化した複合化ケーブルであってもよい。
【００５２】
更に、複合ケーブル１に複合化される電源線２、信号線３及びアクティブオプティカルケーブル５の本数や形状は上記実施の形態に示す例に限らない。特に、電源線２の本数は、薄型パネル状の電気機器内の電源系統の本数に応じて設定し、各電源パターンのパターン幅は、その電源パターンを介して給電する電源の最大電流以上の許容電流となるように設定する。
【００５３】
更に、上述の実施の形態では、４本の光ファイバー１５の光導波路を介してセットトップボックスＳＴＢから平面ディスプレー装置４０に伝送される信号を映像信号としているが、平面ディスプレー装置４０側の動作を制御する制御信号であってもよく、また、セットトップボックスＳＴＢから複数の信号線３を介して平面ディスプレー装置４０に出力される信号は、制御信号に限らず、映像信号や映像信号の一部であってもよい。
【産業上の利用可能性】
【００５４】
薄型パネル状の電気機器に電気接続し、電気機器へ外部機器から電源を給電するとともに電気機器の動作を制御する制御信号を出力する複合ケーブルに適している。
【符号の説明】
【００５５】
１  複合ケーブル
１ａ  端末接続部
２  電源線
３  信号線
５  アクティブオプティカルケーブル
１０  フレキシブルプリント配線基板（ＦＰＣ）
１２  電源パターン
１３  信号パターン
１５  光ファイバー（光導波路）
２０  キャブタイヤケーブル
４０  薄型パネル状の電気機器（平面ディスプレー装置）
【図１】
2018170398.tif 000003
【図２】
2018170398.tif 000004
【図３】
2018170398.tif 000005
【図４】
2018170398.tif 000006
【図５】
2018170398.tif 000007
【図６】
2018170398.tif 000008
【図７】
2018170398.tif 000009